(57)【要約】【課題】  画像処理装置全体としてのコストを低減するとともに、オプション制御ボードが接続された場合のデータバックアップ機能を確実に行うことである。【解決手段】  画像処理を行うシステム制御ボード３０を有する画像処理装置であって、システム制御ボード３０による処理されるデータを格納する画像メモリ４を備える。そして、システム制御ボード３０の処理機能を拡張するファクシミリ通信ボード３１を備える。そして、画像メモリ４に記憶されている画像データをバックアップする電源を供給する２次電池８をファクシミリ通信ボード３１に搭載して、画像メモリ４に電力を要求する構成を特徴とする。【選択図】  図１
2006295902.tif 000002
【特許請求の範囲】
【請求項１】
画像処理を行う第１の制御ユニットを有する画像処理装置であって、
画像データを記憶するための記憶手段と、
前記第１の制御ユニットの処理機能を拡張する第２の制御ユニットとを備え、
前記記憶手段に記憶されている画像データをバックアップする電源を供給する第１の電源供給手段とを備え、
前記第１の電源供給手段を前記第２の制御ユニットに搭載したことを特徴とする画像処理装置。
【請求項２】
前記記憶手段を前記第１の制御ユニットに搭載したことを特徴とする請求項１記載の画像処理装置。
【請求項３】
前記第１の制御ユニットに電源を供給する第２の電源供給手段を備え、
通常状態では前記第２の電源供給手段が前記記憶手段に電源を供給することを特徴とする請求項１又は２に記載の画像処理装置。
【請求項４】
非通常状態では前記第１の電源供給手段が前記記憶手段に電源を供給することを特徴とする請求項１乃至３のいずれか１項記載の画像処理装置。
【請求項５】
前記第２の制御ユニットの前記画像処理装置への接続状態に基づいて、前記第１の電源供給手段による前記記憶手段に対するバックアップ電源の供給を制御することを特徴とする請求項１乃至４のいずれか１項に記載の画像処理装置。
【請求項６】
前記第２の制御ユニットによるファクシミリ通信機能で送受信する画像データを前記記憶手段に記憶することを特徴とする請求項１乃至５のいずれか１項に記載の画像処理装置。
【請求項７】
前記記憶手段の複数のブロック中から検出されるデータ書き込み中のブロックをバックアップするように前記第１の電源供給手段からのバックアップ電源供給先を制御するバックアップ制御手段を備える請求項１乃至６のいずれか１項に記載の画像処理装置。
【請求項８】
前記バックアップ制御手段は、各ブロックに分散されて記憶されているデータをいずれかのブロックから密に書き込み直し、該書き込み直されたブロックに前記第１の電源供給手段からのバックアップ電源を供給することを特徴とする請求項７記載の画像処理装置。
【請求項９】
画像処理を行う第１の制御ユニットを有する画像処理装置におけるバックアップ処理方法であって、
前記第１の制御ユニットの処理機能を拡張する第２の制御ユニット上の第１の電源供給手段より、記憶手段に記憶されている画像データをバックアップする電源を供給する供給ステップを有することを特徴とするバックアップ処理方法。
【請求項１０】
請求項９記載のバックアップ処理方法を実行させるためのプログラムを格納したことを特徴とするコンピュータが読み取り可能な記憶媒体。
【請求項１１】
請求項９記載のバックアップ処理方法を実行させることを特徴とする特徴とするプログラム。
【発明の詳細な説明】
【技術分野】
【０００１】
本発明は、画像メモリを備え、複数の制御ボードが画像メモリを利用して機能拡張されるデータ処理を行う画像処理装置のバックアップ処理に関するものである。
【背景技術】
【０００２】
近年、ファクシミリ機能、プリンタ機能、複写機能などを搭載するＭＦＰ（Multi-Function Peripheral）装置の需要が高まってきている。このＭＦＰ装置には色々な種類があり、それぞれの機能を全て搭載する装置もあれば、いくつかの機能を組み合せているだけの装置もある。ユーザの要望に応じて、機能の組み合わせを可能にするべく、各機能の処理を行う制御ボードをオプション化している装置も多い。
【０００３】
また、一般的に、プリンタ、複写、ファクシミリ、これらの機能については、色々な画像処理や画像編集を行うために、画像メモリを必要とすることが多い。ファクシミリ機能で受信した画像は、通信相手が所有する画像データであり、端末のユーザが所有しているものではない。もし、ファクシミリ受信画像データをプリントする前に、停電などが発生し画像メモリの情報が消去されてしまうと、画像データを復活するのは困難である。よって、ファクシミリ受信した画像データを記憶する画像メモリはバックアップをしておくことが好ましい。一方で、プリンタ機能、複写機能については、端末のユーザが所有している画像データを処理することが一般的であり、画像データの復活は比較的簡単である。
【０００４】
前述のＭＦＰ装置の中には、プリンタ機能と複写機能を標準装備として搭載し、ファクシミリ機能をオプション装備として搭載可能なものがある。このようなＭＦＰ装置において、画像メモリを標準装備として搭載し、プリンタや複写機能で使用し、ファクシミリ機能においても共用することで、安価なＭＦＰ装置を提供することが可能である。
【０００５】
しかし上述したように、プリンタや複写機能における画像データに対する画像メモリのバックアップは必要でなく、ファクシミリ受信画像に対するバックアップを行えば充分である。
【０００６】
ところが、従来構成では、ファクシミリ通信機能の搭載に関わらず画像メモリのバックアップを行っていた。
【０００７】
例えば下記特許文献１には、ＤＲＡＭ等で構成される画像メモリを備えて、メモリ代行受信処理機能を備えるファクシミリ装置が開示されている。該先行技術は、所定のメモリバックアップ処理を実行する場合に、バックアップ電池の消耗を避けるために、メモリ全体に有効なデータが格納されているかどうかを識別する。主電源が停止中は、バックアップ電池を放電することで、メモリのリフレッシュ処理により受信した情報を蓄えるように制御が行われている。
【０００８】
具体的には、蓄積メモリにＤＲＡＭ（ダイナミックメモリ）を用いて、記憶保持（バックアップ）するものとしては、主電源が停止した場合に無条件に全ての蓄積メモリをバックアップする。蓄積メモリに有効データが格納されている場合のみ、主電源が停止するとバックアップ機能を動作させていた。
【特許文献１】特開平８−１２９５１１号公報
【発明の開示】
【発明が解決しようとする課題】
【０００９】
しかしながら、上述した従来の技術では、もしファクシミリ通信機能の装着がオプションである構成に適用した場合、ファクシミリ通信機能の有無に関わらずバックアップ電池によるメモリのバックアップ処理を実行することになる。よって、必要の無いバックアップ用電池等も搭載することになり装置全体としてコストアップとなり負担となる。さらには、無意味にバックアップ電池を消耗させてしまうといった課題が生じていた。
【００１０】
さらに、上述した従来の技術によるメモリバックアップ方法では、蓄積メモリに格納されたデータ量に関係なく、有効データの有無のみでバックアップ機能の動作を判断していた。そのため、蓄積メモリが複数のＩＣやメモリブロックで構成された場合、有効データが少量であってもバックアップ機能を動作させていたため、バックアップ用バッテリーの消費効率が最適ではないという課題があった。
【００１１】
本発明の目的は、上記の課題を解決するためになされたもので、画像処理装置全体としてのコストを低減するとともに、オプション制御ボードが接続された場合のデータバックアップ機能を確実に行うことである。さらには、バックアップ電源の消費効率を上げることにある。
【課題を解決するための手段】
【００１２】
上記目的を達成する本発明の画像処理装置は以下に示す構成を備える。
【００１３】
画像処理を行う第１の制御ユニットを有する画像処理装置であって、画像データを記憶するための記憶手段と、前記第１の制御ユニットの処理機能を拡張する第２の制御ユニットとを備え、前記記憶手段に記憶されている画像データをバックアップする電源を供給する第１の電源供給手段とを備え、前記第１の電源供給手段を前記第２の制御ユニットに搭載したことを特徴とする。
【００１４】
上記目的を達成する本発明のバックアップ処理方法は以下に示す構成を備える。
【００１５】
画像処理を行う第１の制御ユニットを有する画像処理装置におけるバックアップ処理方法であって、前記第１の制御ユニットの処理機能を拡張する第２の制御ユニット上の第１の電源供給手段より、記憶手段に記憶されている画像データをバックアップする電源を供給する供給ステップを有することを特徴とする。
【発明の効果】
【００１６】
本発明によれば、第１の制御ボードに画像メモリに格納されたデータをバックアップするための電源ユニットをあらかじめ設ける必要がなくなり、画像処理装置全体としてのコストを低減できる。第２の制御ボードが接続された場合には、自動的に画像メモリに格納されたデータを電源ユニットによりバックアップすることが可能となる。よって、第２の制御ボードが接続された場合のデータバックアップ機能を確実にして、データの消失を未然に防止できる利便性に優れた機能拡張を自在に行えるという効果を奏する。
【００１７】
さらに、複数の画像メモリブロックに有効データが格納されている場合、格納されている有効データを他の画像メモリブロックへ転送し、詰め込む。または、あらかじめ設定した画像メモリブロックの書き込み順序に従って画像データを転送し、詰め込む。有効データが記憶されていない画像メモリブロックへはバックアップ電源を供給せず、有効データが格納されている画像メモリブロックのみにバックアップ電源を供給する。よって、無条件に複数の画像メモリブロックをバックアップする構成に比べ、バックアップ時の消費電流を少なくできるため、蓄電池の寿命を長くすることができるという効果を奏する。
【発明を実施するための最良の形態】
【００１８】
次に本発明を実施するための最良の形態について図面を参照して説明する。
【００１９】
＜システム構成の説明＞
〔第１実施形態〕
図１は、本発明の第１実施形態を示す画像処理装置の構成を示すブロック図である。本例は、例えばシステム制御ボード３０に対して、所定の機能処理を実行するボード、例えばファクシミリ通信ボード３１とＮＣＵボード３２が接続されて構成される通信装置例に対応する。
【００２０】
なお、本実施形態では、画像処理装置として、オプションボードを接続することで機能拡張可能な複合画像処理装置の例を示すが、以下、複合画像処理装置を単に画像処理装置として説明する。
【００２１】
図１に示すシステム制御ボード３０において、ＣＰＵ１は、ＲＯＭ２に記憶されている制御プログラムに従って、バスに接続される各デバイスを含む画像処理装置全体をコントロールする。
【００２２】
ＳＲＡＭ３と画像メモリ４は電池でバックアップされており、停電時または電源部２０が遮断された状態にあっても保存しておくべきデータを記憶しておくものである。画像メモリ４は、例えばＤＲＡＭ等の揮発性メモリ媒体で構成され、複数の画像メモリブロック４１、画像メモリブロック４２、画像メモリブロック４３、画像メモリブロック４４（蓄積メモリブロック）など複数のメモリブロックで構成される。
【００２３】
画像メモリ４には、読取部１１から出力される、ファクシミリ送信やコピーを行うための画像データが蓄積される。また同様に、画像メモリ４には、記録部１２に出力する、ファクシミリ受信、コピーやプリントを行うための画像データも蓄積される。
【００２４】
ＳＲＡＭ３は、画像データを送信すべき送信先を特定するための短縮ダイヤルやワンタッチダイヤルデータや、ソフトウェアスイッチの状態を記憶するために用いられる。また、画像メモリ４は主に画像データを記憶するために用いられる。水晶発振子（Ｘ'ＴＡＬ）２２は、ＣＰＵ１にシステムクロックを供給するものである。
【００２５】
ＰＭ６はパワーマネージメント回路であり、システムリセット、ウォッチドックタイマ、画像メモリ４およびＳＲＡＭ３のバックアップ制御などを行う制御回路、および１次電池７、２次電池８の充放電回路などにより構成されている。
【００２６】
システム制御部９は、システム制御ＩＣであり、汎用ポート、ＤＲＡＭコントローラ、バスマスタリアルタイムポート、ＳＬＡＶＥ−ＵＰＩのインターフェースなどを備える。さらに、システム制御部９は、ＣＩ検出タイマ、パネルインターフェース、汎用タイマ、クロックジェネレータ２５、ＥＳＳ制御回路、ＣＯＤＥＣなどを備える。
【００２７】
なお、ＣＯＤＥＣは、送信データの符号化、および受信データの符号化を行うものであり、読取部１１は、ファクシミリ送信時やコピー、画像読取時に撮像装置（ＣＳ）２７によって原稿画像の読取りを行うものである。
【００２８】
また、ＬＣＤコントローラ１４は、操作パネル１９のＬＣＤユニットを制御するＬＣＤ制御回路や汎用Ｉ／Ｏなどから構成されている。また、１次電池７は、ＳＲＡＭ３のバックアップ時の電源に使用しており、２次電池８は、画像メモリ４のバックアップ時の電源に使用するもので、充電が可能な素子が用いられる。
【００２９】
ＲＴＣ（リアルタイムクロック）５は、通信に日時を表示するときに使い、１次電池７でバックアップされる。なお、ＰＭ６も１次電池７でバックアップされている。
【００３０】
記録部１２は、ファクシミリ受信時やコピー時、プリンタ時に画像の印字出力を行うものであり電子写真方式、インクジェット方式などの記録機構から構成される。モデム部１３は、送信データの変調や受信データの復調を行うもので、発振回路２３によって生成されるタイミング信号によって動作する。
【００３１】
電源部２０は、デジタルＭＦＰ装置に直流電源を供給するもので、電源スイッチオンによりＡＣ（本実施形態では１００Ｖとする）２１を入力すると、複数の直流電圧（例えば２４Ｖ，１２Ｖ，１８Ｖ，５．０Ｖ，３．３Ｖ）を出力するよう構成される。
【００３２】
電源部２０は、それぞれスイッチング電源回路から成るスタンバイ電源２０１とメイン電源２０２で構成され（図５も参照）、メイン電源２０２はリモート制御でＣＰＵ１によってリモート信号を制御することによって電圧出力のオン・オフ制御を行う。
【００３３】
このうちメイン電源２０２は、記録部１２を駆動するための３．３Ｖ、モータや、プランジャーを駆動するための２４Ｖ、通信系のアナログ回路を駆動するための１２Ｖ、電話機のフック検知用の１８Ｖの供給回路で構成される。
【００３４】
一方、スタンバイ電源２０１は通信装置のシステム制御部を駆動するための５Ｖまたは３．３Ｖで構成される。ＮＣＵボード３２は、ＮＣＵ１５、電話回線１６、本電話機１７、子電話／留守番電話１８で構成される。
【００３５】
ファクシミリ通信ボード３１は、ファクシミリ通信機能をオプションで提供するときに前記システム制御ボード３０へ接続する。
【００３６】
ファクシミリ通信ボード３１において、ＭＯＤＥＭ１３と２次電池８から構成されている。
【００３７】
ファクシミリ通信ボード３１の２次電池８は、該ファクシミリ通信ボード３１がシステム制御ボード３０に接続された場合、画像メモリ４に記憶した画像データをバックアップするためのバックアップ電源として機能する。つまり、ファクシミリ通信機能が付加されている場合に、画像メモリ４に記憶した画像データをバックアップする。メモリ受信して画像メモリ４に記憶された画像データや時刻指定通信のために記憶されている画像データを、停電などの不慮の事故による消去を防止するためである。
【００３８】
このように構成された画像処理装置は、所定の画像処理を行う第１の制御ボードとして機能するシステム制御ボード３０を有する。第２の制御ボードとして機能するファクシミリ通信ボード３１が画像処理装置に接続された場合に、システム制御ボード３０によって処理されるデータを格納する画像メモリ４に対するメモリバックアップ機能を有効とする。ファクシミリ通信ボード３１を必要としない場合は、ファクシミリ通信ボード３１側に２次電池８を備えたことで、画像メモリ４を備えるシステム制御ボード３０のみを利用した画像処理で済む。あらかじめ２次電池８をシステム制御ボード３０側に備える場合に比べて、格段にコスト負担が軽減される。また逆に、ファクシミリ通信ボード３１を必要とする場合、つまりファクシミリ通信ボード３１が画像メモリ４にデータ蓄積して送受信する場合は、２次電池８が画像メモリ４のメモリバックアップを有効とすることが確実になる。よって、ファクシミリ通信ボード３１を使用中に、停電等の不慮の電源トラブルが発生しても、画像メモリ４に蓄積されたデータが消失してしまう事態を確実に回避することができる。
【００３９】
このように本実施形態は、本来、機能拡張するために接続されるボード側に、さらなる機能処理を実行させる場合に必要となる部材、手段、制御プログラム、電源等の付随的な資源を持たせる。それら資源の機能の使用により、制御ボード側に備えた、基本資源となるようなメモリユニットなどの部材を利用してさらなる機能処理を実行する。このように、基本となる制御ボード側の構成をシンプル化して、装置全体のコスト低減と、拡張機能の実行を確実化するという双方の要求を同時に満たす設計を自在に行うことができる。なお、本実施形態では、２次電池８が画像メモリ４に対するバックアップ機能処理に利用する場合について説明したが、画像処理装置に限らず、種々の電子機器において適用可能なものである。
【００４０】
図２は、図１に示したシステム制御ボード３０の画像メモリ４とファクシミリ通信ボード３１との対応を説明するブロック図であり、図１と同一のものには同一の符号を付してある。
【００４１】
図２に示すように、本実施形態では、画像メモリ４は、複数の画像メモリブロック４１〜４４から構成され、それぞれの画像メモリブロック４１〜４４を使用することで、大容量の画像メモリ４を構成することができる。
【００４２】
なお、画像メモリ４は、ファクシミリ通信ボード３１の接続時で、メイン電源２０２から画像メモリ４に供給される電圧が低下して停止する場合に、画像メモリ４の各画像メモリブロック４１〜４４中で、バックアップが必要な有効データを読み出す。次にいずれかのブロックに密に書き込みを行った後、２次電池８からのバックアップ電源によりその内容が消失しないように、該密に画像データが記憶されている画像メモリブロックのみをバックアップする。さらに、他の画像データが格納されていない画像メモリブロックへのバックアップ電源供給を制限するように、ＰＭ６により２次電池８の放電が、後述する図３に示すフローチャートの手順に基づいて制御されている。
【００４３】
このようにいずれかのブロックに密に書き込みを行うことで、各画像メモリブロックに分散しているデータをできるだけ集約化して、使用すべきメモリブロックをできるだけ減らすことが可能となる。よって、その分２次電池８でバックアップ可能な時間をそれだけ長くすることができる。
【００４４】
図３は、本発明に係る画像処理装置におけるメモリバックアップ制御方法の一例を示すフローチャートであり、図１に示したＰＭ６による２次電池８によるバックアップ電源供給手順に対応する。なお、Ｓ１〜Ｓ７は各ステップを示し、各ステップは、ＣＰＵ１がＲＯＭ２に記憶される制御プログラムをシステムメモリにロードして実行することで実現される。
【００４５】
先ず、ステップＳ１において、オプションボードの有無検知は、オプションボードとしての、例えばファクシミリ通信ボード３１がシステム制御ボード３０に装着された場合、そのピンをＣＰＵ１が検知することにより行う。
【００４６】
次に、ステップＳ２で、電源部２０から画像メモリ４の供給電圧（例えば図４に示すように３．３Ｖ）をＰＭ６がチェックして、あらかじめ設定されている基準電圧よりも低下しているか否かを判断する（Ｓ３）。低下していないと判定した場合は、ステップＳ２へ戻り、画像メモリ４の供給電圧の低下状態を監視する。
【００４７】
一方、ステップＳ３で、電圧が低下していると判断した場合は、ＣＰＵ１は、ステップＳ４で、画像メモリ４の各画像メモリブロック４１、４２、４３、４４に対するデータの書き込み状況をチェックし、データの書き込み先とデータ量をチェックする。
【００４８】
このステップＳ４の動作は、停電になる前に事前に把握しておくことで、停電時には短時間でチェックを行うことができるように制御してもよい。
【００４９】
次に、ステップＳ５で、画像データの各ブロックへの書き込み状況のチェック結果から画像データの書き換えを行う。
【００５０】
本実施形態では、画像メモリ４の画像メモリブロック４１から順にデータを詰めてデータの書き換えを行うものとする。
【００５１】
次に、ステップＳ６で、画像データの書き換え後、画像データの書き込まれているメモリブロックのみに対して、ＰＭ６の制御によってバックアップ電源を要求する。
【００５２】
なお、データの書き込まれていない画像メモリには、ＰＭ６の制御によってバックアップ電源を供給しない制御を行うことで、画像メモリ４の消費電流が少なくなる。この場合、２次電池８でバックアップ可能なバックアップ時間を、全ての画像メモリブロックに２次電池８でバックアップする場合に比べて、さらに長くできる。
【００５３】
そして、ステップＳ７で、画像メモリバックアップを継続し、電源部２０からのメイン電源の供給が開始された場合は、ＰＭ６が２次電池８からのバックアップ制御を終了する。
【００５４】
これにより、２次電池８のバックアップ電源供給先は、ステップＳ５で詰め直された画像データが格納されている画像メモリブロックとなる。画像データが何等格納されていない画像メモリブロックには２次電池８からバックアップ電源が供給することがなくなる。その分２次電池８で画像データをバックアップできる時間を延命でき、停電等の電源障害が発生しても、復旧するまでに格納された画像データの再現可能時間をそれだけ長くすることができる。
【００５５】
図４は、図１に示した２次電池８と画像メモリ４へのバックアップ電源供給回路の一例を示す図であり、図１と同一のものには同一の符号を付してある。
【００５６】
図４において、４６はダイオードで、メイン電源２０の、例えば＋３．３Ｖが印加され、スーパキャパシタ４７を充電する。４９はレギュレータで、リセット信号が印加され、停電時には、リセット信号が「Ｌ」状態となり、スーパキャパシタ４７の出力を画像メモリ４に印加する。通常時には、リセット信号が「Ｈ」状態となり、上記＋３．３Ｖがメイン電源２０からスルーで印加されるように制御する。４８はダイオードである。
【００５７】
なお、スーパキャパシタ４７は、高パワー密度と高エネルギー密度の構造を備えるキャパシタである。このキャパシタは、一般的に、電極と電解液との界面で形成される電気二重層による電荷蓄積（イオンの電極への物理的な吸・脱着）と電極表面上の酸化還元反応を利用した擬似容量（イオンの電極への電気化学的な吸・脱着）の両方を利用したものである。
【００５８】
上記第１実施形態によれば、オプション機能を搭載したオプションボードに画像メモリをバックアップするための２次電池を搭載する構成とした。よって、前記オプションボードを装着することで画像メモリをバックアップするためのバックアップ用の電源を供給することが可能となる。従来構成にようにオプション機能の有無に関わらず画像メモリのバックアップを行うことがなくなり、機能に応じて画像メモリのバックアップが可能となる。
【００５９】
なお、以上に示した回路構成は、ファクシミリ機、あるいはこれに類するデジタル複合機のような画像処理装置に共通するものであり、本発明はこのようなファクシミリ機に準じた構成のみならず、他の形態の通信装置に実施できるのはいうまでもない。 例えば、電子メール機能を搭載した通信装置にも適用可能である。
【００６０】
例えば、本発明は、パーソナルコンピュータのような汎用の端末にファクシミリモデムなどを外付け／内蔵し、ソフトウエア制御によりファクシミリ通信を行う構成においても実施することができる。
【００６１】
〔第２実施形態〕
なお、第１実施形態では、図３に示したステップＳ３で電圧降下を検知した場合に、各画像メモリブロック内に点在する画像データを、対象メモリブロックに対して順次画像データを詰め直すように書き込む場合について説明した。先頭メモリブロックを対象メモリブロックとして例示した。しかし、電圧低下を検知した場合でも、詰め直し処理を実行することなく、単純に２次電池８でメモリブロック全体をバックアップして、短時間にメモリバックアップ状態に遷移させるように構成して、電源２０の瞬断に適応できるように構成してもよい。
【００６２】
また、電圧低下を検知した場合に、画像メモリブロック中で有効画像データが存在するブロックのみを個別にバックアップする構成にしてもよい。
【００６３】
さらに、電圧低下を検知した場合に、有効画像データが多数のブロックに分かれて点在する場合、先頭ブロックに限らず、メモリブロック中であらかじめ設定されている特定メモリブロックに寄せ集めて格納し直すように制御してもよい。
【００６４】
また、電圧低下を検知した場合に、バックグラウンド処理で、メモリブロック内に点在する画像データを特定のメモリブロックに予め順番に書き込んでおく制御を実行してもよい。この場合、図３に示すステップＳ５１をステップＳ１よりも先行するタイミングで実行し、図３に示したステップＳ５の処理をスキップし、ステップＳ６を速やかに実行できる。
【００６５】
さらに、電圧降下を検知した場合に、図３に示したバックアップ制御を実行させるかどうかを決定するモード設定を備えて、そのモードの設定状態に基づいて、上記バックアップ制御を実行させるかどうかを決定してもよい。この場合、充電されている２次電池８からの無駄な放電処理を制限して、２次電池８の寿命を長く保つことができる。
【００６６】
その際、特定のデータ受信先からデータを受信した場合に、前記モードの設定を有効または無効とするような制御を組み合わせてもよい。
【００６７】
また、上述したように、オプションボードの接続状態に基づいて前記モードの設定を有効または無効とするような制御を組み合わせてもよい。
【００６８】
〔その他の実施形態〕
以下、図５に示すメモリマップを参照して本発明に係る画像処理装置で読み取り可能なデータ処理プログラムの構成について説明する。
【００６９】
図５は、本発明に係る画像処理装置で読み取り可能な各種データ処理プログラムを格納する記憶媒体のメモリマップを説明する図である。
【００７０】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【００７１】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【００７２】
本実施形態における図３に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【００７３】
前述した実施形態の機能を実現するソフトウエアのプログラムコードを記録した記憶媒体を、システムあるいは装置に供給してもよい。そのシステムあるいは装置のコンピュータ（またはＣＰＵやＭＰＵ）がその記憶媒体に格納されたプログラムコードを読出し実行することによって、本発明の目的が達成される。
【００７４】
この場合、記憶媒体から読み出されたプログラムコード自体が本発明の新規な機能を実現することになり、そのプログラムコードを記憶した記憶媒体は本発明を構成することになる。
【００７５】
従って、プログラムの機能を有していれば、オブジェクトコード、インタプリタにより実行されるプログラム、ＯＳに供給するスクリプトデータ等、プログラムの形態を問わない。
【００７６】
プログラムを供給するための記憶媒体としては、例えばフレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤなどを用いることができる。
【００７７】
この場合、記憶媒体から読出されたプログラムコード自体が前述した実施形態の機能を実現することになり、そのプログラムコードを記憶した記憶媒体は本発明を構成することになる。
【００７８】
その他、プログラムの供給方法としては、クライアントコンピュータのブラウザを用いてインターネットのホームページからダウンロードしてもよい。ホームページから本発明のコンピュータプログラムそのもの、もしくは、圧縮され自動インストール機能を含むファイルをハードディスク等の記録媒体にダウンロードしてもよい。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバやｆｔｐサーバ等も本発明の請求項に含まれるものである。
【００７９】
また、本発明のプログラムを暗号化してＣＤ−ＲＯＭ等の記憶媒体に格納してユーザに配布してもよい。この場合、所定の条件をクリアしたユーザにのみ、インターネットを介してホームページから暗号化を解く鍵情報をダウンロードさせ、その鍵情報を使用することにより暗号化されたプログラムを実行してコンピュータにインストールしてもよい。
【００８０】
また、コンピュータが読み出したプログラムコードを実行することにより、前述した実施形態の機能が実現されてもよい。なお、そのプログラムコードの指示に基づき、コンピュータ上で稼働しているＯＳ（オペレーティングシステム）等が実際の処理の一部または全部を行い、その処理によって前述した実施形態の機能が実現され得る。
【００８１】
さらに、記憶媒体から読み出されたプログラムコードが、コンピュータに挿入された機能拡張ボードやコンピュータに接続された機能拡張ユニットに備わるメモリに書き込まれてもよい。そのプログラムコードの指示に基づき、その機能拡張ボードや機能拡張ユニットに備わるＣＰＵ等が実際の処理の一部または全部を行なってもよい。その処理によっても前述した実施形態の機能が実現される。
【００８２】
本発明は上記実施形態に限定されるものではなく、本発明の趣旨に基づき種々の変形（各実施形態の有機的な組合せを含む）が可能であり、それらを本発明の範囲から排除するものではない。
【図面の簡単な説明】
【００８３】
【図１】本発明の実施形態にかかる画像処理装置の構成を示すブロック図である。
【図２】本発明の実施形態にかかるシステム制御ボードの画像メモリとファクシミリ通信ボードとの対応を説明するブロック図である。
【図３】本発明の実施形態にかかる画像処理装置におけるメモリバックアップ制御方法の一例を示すフローチャートである。
【図４】本発明の実施形態にかかる２次電池と画像メモリへのバックアップ電源供給回路の一例を示す図である。
【図５】本発明の実施形態にかかる画像処理装置で読み取り可能な各種データ処理プログラムを格納する記憶媒体のメモリマップを説明する図である。
【符号の説明】
【００８４】
１  ＣＰＵ
２  ＲＯＭ
４  画像メモリ
６  ＰＭ
７  一次電池
８  ２次電池
２０  電源部
【図１】
2006295902.tif 000003
【図２】
2006295902.tif 000004
【図３】
2006295902.tif 000005
【図４】
2006295902.tif 000006
【図５】
2006295902.tif 000007